(57)【要約】【課題】封印作業が容易なスマートメータの封印端子カバーを提供する。【解決手段】封印端子カバー１０は、第１拘束部材１と第２拘束部材２を備える。又、封印端子カバー１０は、封印用の第１雄ねじ部材３と第２雄ねじ部材４を備える。第１拘束部材１は、第１拘持アーム１１と第１封鎖アーム１２を有する。第２拘束部材２は、第２拘持アーム２１と第２封鎖アーム２２を有する。第１拘持アーム１１と第２拘持アーム２１は、カバー９２の両側面を拘持できる。第１雄ねじ部材３は、第１封鎖アーム１２の先端部を第２封鎖アーム２２の雌ねじ座部材２３に締結できる。第１拘束部材１と第２拘束部材２が連結した状態では、雌ねじ座部材２３は、第２雄ねじ部材４の近傍に配置されている。【選択図】図３
2020016516.tif 000002
【特許請求の範囲】
【請求項１】
外殻を構成する箱状の本体、及び、この本体の端部に配置した端子部を覆うカバーを備えたスマートメータの前記カバーが不正に開放されることを回避できるスマートメータの封印端子カバーであって、
前記カバーの一方の側面に当接可能に当該一方の側面に沿って延びる第１拘持アーム、及び、この第１拘持アームの基端部から前記カバーの他方の側面に向って延び、前記カバーの上面に近接できる長尺の第１封鎖アームを有する第１拘束部材と、
前記カバーの他方の側面に当接可能に当該他方の側面に沿って延びる第２拘持アーム、及び、この第２拘持アームの基端部から前記カバーの一方の側面に向って延び、前記カバーの上面に当接できる短尺の第２封鎖アームを有する第２拘束部材と、
外周方向に貫通する第１挿通孔を頭部に開口し、前記第１封鎖アームの先端部を前記第２封鎖アームに締結できる封印用の第１雄ねじ部材と、
外周方向に貫通する第２挿通孔を頭部に開口し、前記第２封鎖アームの基端部側に導入できると共に、前記カバーの他方の側面側の上面を前記本体に締結できる封印用の第２雄ねじ部材と、
前記第１挿通孔及び前記第２挿通孔に挿通してループを構成する封印ワイヤと、
前記封印ワイヤの両端部を離間困難に封印する封印部材と、を備え、
前記第２封鎖アームは、前記第１雄ねじ部材のねじ部が螺合できる雌ねじを設けた雌ねじ座部材を有し、
前記第１拘束部材と前記第２拘束部材が連結した状態では、前記雌ねじ座部材は、前記第２雄ねじ部材の近傍に配置されている、スマートメータの封印端子カバー。
【請求項２】
前記第１封鎖アームは、外形が矩形の角パイプからなり、
前記第２封鎖アームは、前記第１封鎖アームを軸方向から導入可能に先端部を開口したリップ溝形チャンネル部材からなり、
前記第２封鎖アームに対して、前記第１封鎖アームは、スライド自在に嵌合している、請求項１記載のスマートメータの封印端子カバー。
【請求項３】
前記第１拘持アーム及び前記第２拘持アームは、前記本体の裏面とスマートメータの設置面の隙間に挿入できる爪片を先端部に有している、請求項１又は２記載のスマートメータの封印端子カバー。
【請求項４】
前記第１封鎖アームは、前記第２封鎖アームの上面に開口した切り欠きに沿って移動でき、前記雌ねじ座部材に当接できる係合片を先端部に有し、
前記係合片は、前記雌ねじと適合し、前記第１雄ねじ部材のねじ部が挿入できる穴を開口している、請求項１から３のいずれかに記載のスマートメータの封印端子カバー。
【発明の詳細な説明】
【技術分野】
【０００１】
本発明は、スマートメータの封印端子カバーに関する。特に、スマートメータの端子部を覆うカバーが不正に開放されることを回避できるスマートメータの封印端子カバーであって、封印作業が容易なスマートメータの封印端子カバーの構造に関する。
【背景技術】
【０００２】
電力の自由化などに伴って、従来のアナログ式誘導型電力量計に替えて、電力をデジタルで計測し、メータの内部に通信機能をもたせた電子式電力量計、いわゆる、スマートメータが電力需要者に対して設置されるようになっている。
【０００３】
図５は、一例によるスマートメータの構成を示す斜視図である。図６は、一例によるスマートメータの構成を示す斜視分解組立図である。
【０００４】
図５又は図６を参照すると、スマートメータ（以下、ＳＭという）９は、箱状の本体９１とカバー９２を備えている。本体９１は、ＳＭ９の外殻を構成している。カバー９２は、本体９１の大部分を前面から着脱自在に覆っている。
【０００５】
図５又は図６を参照すると、本体９１は、端子部９１ｔと計測部９１ｍを含んでいる。又、本体９１は、表示部９１ｄと通信部９１ｃを含んでいる。端子部９１ｔは、図示しない電力ケーブルの端末が電気的に接続できる複数のねじ端子Ｔｓを有している（図６参照）。カバー９２は、図示しない電力ケーブルを端子部９１ｔに導入可能に、外壁の一部を切り欠いた切り欠き部９２１を有している。
【０００６】
図６を参照すると、計測部９１ｍは、本体９１の内部に配置されている。計測部９１ｍは、需要者が消費した電力使用量をデジタル処理によって計測する機能を有している。図５又は図６を参照すると、表示部９１ｄは、計測部９１ｍの計測結果である電力使用量を示す情報を表示パネル９１ｐ（例えばＬＣＤパネル）に表示する機能を有している。
【０００７】
図６を参照すると、通信部９１ｃは、端子部９１ｔのねじ端子Ｔｓを覆う状態で設置されている。通信部９１ｃは、例えば、当該電力使用量の計測結果を外部の通信機器に送信できる。
【０００８】
図５又は図６を参照して、ＳＭ９は、カバー９２の切り欠き部９２１が下側を向いた状態で、本体９１の背面が例えば、需要者宅の外壁に取り付けられている。
【０００９】
図５又は図６を参照すると、ＳＭ９は、一組の封印用の雄ねじ９ｍｓ・９ｍｓを更に備えている。一方、本体９１は、一組の雌ねじ部９ｆｓ・９ｆｓを両隅部に螺設している。雌ねじ部９ｆｓは、雄ねじ９ｍｓのねじ部と螺合できる。一組の雄ねじ９ｍｓ・９ｍｓを用いて、カバー９２を本体９１に固定できる。
【００１０】
図５又は図６を参照すると、雄ねじ９ｍｓは、外周方向に貫通する挿通孔を頭部に開口している。一組の雄ねじ９ｍｓ・９ｍｓを用いて、カバー９２を本体９１に固定した状態で（図５参照）、一組の雄ねじ９ｍｓ・９ｍｓの頭部の挿通孔に封印ワイヤ（図示せず）を挿通し、封印ワイヤ（図示せず）を張設した状態で、封印ワイヤ（図示せず）の両端部を封印鉛などで圧着することで、カバー９２を封印できる。
【００１１】
しかし、図５を参照すると、左右に離れた封印用の雄ねじ９ｍｓ・９ｍｓの頭部に封印ワイヤ（図示せず）を挿通することは、作業性が良くないという不具合がある。左右に離れた封印用の雄ねじ９ｍｓ・９ｍｓの間に封印ワイヤ（図示せず）を張設することは、容易でないという不具合がある。
【００１２】
このように、従来技術によるスマートメータの封印作業は、上記した不具合があったので、封印作業を実施するときの作業効率を向上させるスマートメータの封印具が開示されている（例えば、特許文献１参照）。
【先行技術文献】
【特許文献】
【００１３】
【特許文献１】特開２０１８−４０６０６号公報
【発明の概要】
【発明が解決しようとする課題】
【００１４】
図７は、従来技術による封印具が取り付けられた一例によるスマートメータの構成を示す斜視図である。図８は、図７の要部を拡大した斜視図であり、図８（Ａ）は、一例によるスマートメータの一方の端部に従来技術による封印具を取り付けた状態図、図８（Ｂ）は、一例によるスマートメータの他方の端部に従来技術による封印具を取り付けた状態図である。
【００１５】
なお、本願の図７は、特許文献１の図５に相当している。又、本願の図８（Ａ）と図８（Ｂ）は、特許文献１の図６Ａと図６Ｂに相当している。更に、本願の図５と図６は、特許文献１の図１と図２に相当している。
【００１６】
図７又は図８を参照すると、従来技術による封印具８は、ＳＭ９に対する不正操作を回避することを目的としている。封印具８は、カバー９２を本体９１に固定する封印用の一対の雄ねじ９ｍｓ・９ｍｓを封印できる。
【００１７】
図７又は図８を参照すると、封印具８は、封印用の一対の雄ねじ９ｍｓ・９ｍｓと一組のアングル部材８１・８１を備えている。又、封印具８は、一組の封印ワイヤ８２・８２と一組の亀甲型の封印鉛８３・８３を備えている。
【００１８】
図８を参照すると、雄ねじ９ｍｓは、外周方向に貫通する挿通孔９ｍｈを頭部に開口している。挿通孔９ｍｈには、封印ワイヤ８２を挿通できる。アングル部材８１は、その一片８１１をカバー９２の端部の上面に当接できる。又、アングル部材８１は、その他片８１２をカバー９２の端部の側面に当接できる。
【００１９】
図８を参照すると、アングル部材８１の一片８１１は、大径穴と小径穴が連続したダルマ穴８１ｈを開口している。ダルマ穴８１ｈの大径穴には、雄ねじ９ｍｓの頭部を導入できる。雄ねじ９ｍｓの頭部をダルマ穴８１ｈの大径穴に導入後に、雄ねじ９ｍｓを弛めることで、ダルマ穴８１ｈの小径穴に雄ねじ９ｍｓの首部を導入できる。
【００２０】
図８を参照すると、アングル部材８１の一片８１１は、半円弧状のアーチ８１ａを立設している。アーチ８１ａは、ダルマ穴８１ｈの近傍に配置されている。アーチ８１ａの内部には、封印ワイヤ８２を挿通できる。封印鉛８３は、その側面から封印ワイヤ８２の端末を挿通後に面方向に圧着することで、封印ワイヤ８２の両端部を固定できる。
【００２１】
次に、従来技術による封印具８の取り付け方法を説明する。最初に、封印用の雄ねじ９ｍｓがカバー９２を本体９１に固定した状態で（図５参照）、アングル部材８１の一片８１１をカバー９２の端部の上面に向って移動し、雄ねじ９ｍｓの頭部をダルマ穴８１ｈの大径穴に導入する。次に、雄ねじ９ｍｓを弛めて、アングル部材８１の一片８１１をカバー９２の上面に沿ってスライドすることで、ダルマ穴８１ｈの小径穴に雄ねじ９ｍｓの首部を導入できる（図８参照）。
【００２２】
次に、図８を参照して、雄ねじ９ｍｓを本体９１に締結することで、アングル部材８１をカバー９２の端部に固定できる。この場合、アングル部材８１の他片８１２をカバー９２の端部の側面に当接しておくことが好ましい。
【００２３】
次に、図８を参照して、雄ねじ９ｍｓの挿通孔９ｍｈに封印ワイヤ８２を挿通し、アーチ８１ａの内部に封印ワイヤ８２を挿通する。次に、封印鉛８３を用いて、封印ワイヤ８２の両端部を圧着することで、ＳＭ９に対する封印具８の取り付け作業を完了できる。
【００２４】
特許文献１による封印具８は、電力会社の作業員がスマートメータの正面と対面することが難しい狭い場所であっても、封印具８をスマートメータに効率よく取り付けることができる、としている。特許文献１による封印具８は、スマートメータの片側に取り付けるだけでもよい、としている。
【００２５】
しかし、特許文献１による封印具８は、電力会社の作業員がスマートメータの正面と対面することが容易な場所においては、スマートメータの左右の２カ所に封印具８を取り付ける必要があるので、多くの作業時間を要するという問題がある。スマートメータの左右の２カ所を封印することなく、封印作業が容易なスマートメータの封印端子カバーが求められている。そして、以上のことが本発明の課題といってよい。
【００２６】
本発明は、このような課題に鑑みてなされたものであり、スマートメータの左右の２カ所を封印することなく、封印作業が容易なスマートメータの封印端子カバーを提供することを目的とする。
【課題を解決するための手段】
【００２７】
本発明者は、一組のスマートメータの封印端子カバーを本体の端部に配置した端子部を覆うカバーの上に取り付けできる一組のＬ字状の拘束部材で構成し、これらの拘束部材を連結する封印用の第１雄ねじ部材がカバーの他端部を締結する封印用の第２雄ねじ部材の近傍に配置することで、スマートメータの左右の２カ所を封印することなく、１カ所でカバーを封印できると考え、これに基づいて、以下のような新たなスマートメータの封印端子カバーを発明するに至った。
【００２８】
（１）本発明によるスマートメータの封印端子カバーは、外殻を構成する箱状の本体、及び、この本体の端部に配置した端子部を覆うカバーを備えたスマートメータの前記カバーが不正に開放されることを回避できるスマートメータの封印端子カバーであって、前記カバーの一方の側面に当接可能に当該一方の側面に沿って延びる第１拘持アーム、及び、この第１拘持アームの基端部から前記カバーの他方の側面に向って延び、前記カバーの上面に近接できる長尺の第１封鎖アームを有する第１拘束部材と、前記カバーの他方の側面に当接可能に当該他方の側面に沿って延びる第２拘持アーム、及び、この第２拘持アームの基端部から前記カバーの一方の側面に向って延び、前記カバーの上面に当接できる短尺の第２封鎖アームを有する第２拘束部材と、外周方向に貫通する第１挿通孔を頭部に開口し、前記第１封鎖アームの先端部を前記第２封鎖アームに締結できる封印用の第１雄ねじ部材と、外周方向に貫通する第２挿通孔を頭部に開口し、前記第２封鎖アームの基端部側に導入できると共に、前記カバーの他方の側面側の上面を前記本体に締結できる封印用の第２雄ねじ部材と、前記第１挿通孔及び前記第２挿通孔に挿通してループを構成する封印ワイヤと、前記封印ワイヤの両端部を離間困難に封印する封印部材と、を備え、前記第２封鎖アームは、前記第１雄ねじ部材のねじ部が螺合できる雌ねじを設けた雌ねじ座部材を有し、前記第１拘束部材と前記第２拘束部材が連結した状態では、前記雌ねじ座部材は、前記第２雄ねじ部材の近傍に配置されている。
【００２９】
（２）前記第１封鎖アームは、外形が矩形の角パイプからなり、前記第２封鎖アームは、前記第１封鎖アームを軸方向から導入可能に先端部を開口したリップ溝形チャンネル部材からなり、前記第２封鎖アームに対して、前記第１封鎖アームは、スライド自在に嵌合していることが好ましい。
【００３０】
（３）前記第１拘持アーム及び前記第２拘持アームは、前記本体の裏面とスマートメータの設置面の隙間に挿入できる爪片を先端部に有していることが好ましい。
【００３１】
（４）前記第１封鎖アームは、前記第２封鎖アームの上面に開口した切り欠きに沿って移動でき、前記雌ねじ座部材に当接できる係合片を先端部に有し、前記係合片は、前記雌ねじと適合し、前記第１雄ねじ部材のねじ部が挿入できる穴を開口していることが好ましい。
【発明の効果】
【００３２】
本発明によるスマートメータの封印端子カバーは、本体の端部に配置した端子部を覆うカバーの上に取り付けできる一組のＬ字状の拘束部材を備え、これらの拘束部材を連結する封印用の第１雄ねじ部材がカバーの他端部を締結する封印用の第２雄ねじ部材の近傍に配置されているので、スマートメータの左右の２カ所を封印することなく、１カ所でカバーを封印できる。
【図面の簡単な説明】
【００３３】
【図１】本発明の一実施形態によるスマートメータの封印端子カバーの構成を示す斜視図であり、封印端子カバーを封印する前の状態図である。
【図２】前記実施形態によるスマートメータの封印端子カバーの構成を示す斜視分解組立図である。
【図３】前記実施形態によるスマートメータの封印端子カバーの構成を示す斜視図であり、封印端子カバーを封印した状態図である。
【図４】図３の要部を拡大した斜視図であり、封印端子カバーを封印した状態図である。
【図５】一例によるスマートメータの構成を示す斜視図である。
【図６】一例によるスマートメータの構成を示す斜視分解組立図である。
【図７】従来技術による封印具が取り付けられた一例によるスマートメータの構成を示す斜視図である。
【図８】図７の要部を拡大した斜視図であり、図８（Ａ）は、一例によるスマートメータの一方の端部に従来技術による封印具を取り付けた状態図、図８（Ｂ）は、一例によるスマートメータの他方の端部に従来技術による封印具を取り付けた状態図である。
【発明を実施するための形態】
【００３４】
以下、図面を参照して本発明を実施するための形態を説明する。
【００３５】
［スマートメータの封印端子カバーの構成］
次に、本発明の一実施形態によるスマートメータの封印端子カバーの構成を説明する。
【００３６】
なお、本発明による封印端子カバーが適用されるスマートメータは、一例によるスマートメータを用いて説明するが、これに限定されない。又、従来技術で付した符号と同じ符号を付した構成品は、作用を同じにするので説明を省略する場合がある。
【００３７】
（全体構成）
図１から図４を参照すると、本発明の一実施形態によるスマートメータの封印端子カバー（以下、封印端子カバーと略称する）１０は、第１拘束部材１と第２拘束部材２を備えている。又、封印端子カバー１０は、封印用の第１雄ねじ部材３と封印用の第２雄ねじ部材４を備えている。更に、封印端子カバー１０は、封印ワイヤ５と封印部材６を備えている（図３又は図４参照）。
【００３８】
図１から図４を参照すると、第１拘束部材１は、第１拘持アーム１１と長尺の第１封鎖アーム１２を有している。第１拘持アーム１１は、カバー９２の一方の側面Ｓａに当接可能に、一方の側面Ｓａに沿って延びている。第１封鎖アーム１２は、第１拘持アーム１１の基端部からカバー９２の他方の側面Ｓｂに向って延びている。そして、第１封鎖アーム１２は、カバー９２の上面Ｓｔに近接できる。
【００３９】
図１から図４を参照すると、第２拘束部材２は、第２拘持アーム２１と短尺の第２封鎖アーム２２を有している。第２拘持アーム２１は、カバー９２の他方の側面Ｓｂに当接可能に、他方の側面Ｓｂに沿って延びている。第２封鎖アーム２２は、第２拘持アーム２１の基端部からカバー９２の一方の側面Ｓａに向って延びている。そして、第２封鎖アーム２２は、カバー９２の上面Ｓｔに当接できる。
【００４０】
図２又は図４を参照すると、第１雄ねじ部材３は、外周方向に貫通する第１挿通孔３１ｔを頭部に開口している。第１雄ねじ部材３は、第１封鎖アーム１２の先端部を第２封鎖アーム２２に締結できる。
【００４１】
図２又は図４を参照すると、第２雄ねじ部材４は、外周方向に貫通する第２挿通孔４１ｔを頭部に開口している。第２雄ねじ部材４は、第２封鎖アーム２２の基端部側を導入できる。又、第２雄ねじ部材４は、カバー９２の他方の側面Ｓｂ側の上面Ｓｔを本体９１に締結できる。
【００４２】
図２又は図４を参照すると、封印ワイヤ５は、第１挿通孔３１ｔ及び第２挿通孔４１ｔに挿通してループを構成できる。封印部材６は、封印ワイヤ５の両端部を離間困難に封印できる。
【００４３】
図１又は図２を参照すると、第２封鎖アーム２２は、雌ねじ座部材２３を有している。雌ねじ座部材２３は、雌ねじ２３ｓを設けている。雌ねじ２３ｓには、第１雄ねじ部材３のねじ部３２ｓが螺合できる。
【００４４】
図３又は図４を参照すると、第１雄ねじ部材３のねじ部３２ｓを雌ねじ２３ｓに締結し、第１拘束部材１と第２拘束部材２が連結した状態では、雌ねじ座部材２３は、第２雄ねじ部材４の近傍に配置されている。
【００４５】
図１から図４を参照すると、実施形態による封印端子カバー１０は、本体９１の端部に配置した端子部９１ｔを覆うカバー９２の上に取り付けできる一組のＬ字状の第１拘束部材１及び第２拘束部材２を備え、第１拘束部材１と第２拘束部材２を連結する封印用の第１雄ねじ部材３がカバー９２の他端部を締結する封印用の第２雄ねじ部材４の近傍に配置されているので、スマートメータ９の左右の２カ所を封印することなく、１カ所でカバー９２を封印できる。
【００４６】
（第１拘束部材の構成）
次に、実施形態による第１拘束部材１の構成を説明する。図１から図３を参照すると、第１拘持アーム１１は、爪片１１ｎを先端部に形成している。爪片１１ｎは、第１封鎖アーム１２が延びる方向と同じ方向に突出している。第１拘持アーム１１をカバー９２の一方の側面Ｓａに向って移動すると、爪片１１ｎは、本体９１の裏面とスマートメータ９の設置面（図示せず）の隙間に挿入できる。そして、爪片１１ｎと第１封鎖アーム１２で、カバー９２の一端部側を拘持できる。
【００４７】
図２を参照すると、第１封鎖アーム１２は、係合片１３を先端部に形成している。係合片１３には、第１雄ねじ部材３のねじ部３２ｓが挿入できる穴１３ｈを開口している。又、係合片１３は、雌ねじ座部材２３に当接できる（図４参照）。係合片１３と雌ねじ座部材２３が当接した状態では、穴１３ｈは、雌ねじ２３ｓに適合している。
【００４８】
図１から図４を参照すると、第１封鎖アーム１２は、外形が矩形の角パイプで構成している。一方、第２封鎖アーム２２は、先端部を開口したリップ溝形チャンネル部材で構成している。第１封鎖アーム１２は、第２封鎖アーム２２の先端部から挿入できる。
【００４９】
（第２拘束部材の構成）
次に、実施形態による第２拘束部材２の構成を説明する。図１から図４を参照すると、第２拘持アーム２１は、爪片２１ｎを先端部に形成している。爪片２１ｎは、第２封鎖アーム２２が延びる方向と同じ方向に突出している。第２拘持アーム２１をカバー９２の他方の側面Ｓｂに向って移動すると、爪片２１ｎは、本体９１の裏面とスマートメータ９の設置面（図示せず）の隙間に挿入できる。そして、爪片２１ｎと第２封鎖アーム２２で、カバー９２の他端部側を拘持できる。なお、第２封鎖アーム２２は、第２雄ねじ部材４を逃げる切り欠き部２３ｋを基端部に切り欠いている。
【００５０】
図２を参照すると、第２封鎖アーム２２は、先端部を開口したリップ溝形チャンネル部材で構成している。第２封鎖アーム２２は、先端縁が離間した一対のリップ２２１・２２１を形成している。第２封鎖アーム２２の上面に開口し、一対のリップ２２１・２２１で構成した切り欠き２２ｋに沿って、係合片１３を移動できる。
【００５１】
［スマートメータの封印端子カバーの作用］
次に、実施形態による封印端子カバー１０の取り付けを説明しながら、封印端子カバー１０の作用及び効果を説明する。
【００５２】
最初に、図１又は図２を参照して、第２拘束部材２の第２拘持アーム２１をカバー９２の他方の側面Ｓｂに向って移動し、第２拘束部材２をカバー９２の他端部側に取り付ける。この場合、他端部側の雄ねじ９ｍｓをカバー９２から取り外し（図５参照）、第２雄ねじ部材４をカバー９２に予め取り付けておくことが好ましい。
【００５３】
次に、図１又は図２を参照して、第１拘束部材１の第１拘持アーム１１をカバー９２の一方の側面Ｓａに向って移動し、第１拘束部材１をカバー９２の一端部側に取り付ける。この場合、第２封鎖アーム２２の先端部から第１封鎖アーム１２を挿入することが好ましく、第２封鎖アーム２２の切り欠き２２ｋに沿って、係合片１３を移動できる。
【００５４】
次に、図１又は図２を参照して、係合片１３を介して、第１雄ねじ部材３を雌ねじ座部材２３の雌ねじ２３ｓに締結する。これにより、カバー９２の両側面及び上面を覆った状態で、第１拘束部材１と第２拘束部材２を連結できる。なお、先に、第１拘束部材１をカバー９２に取り付け、後に、第２拘束部材２をカバー９２に取り付けることもできる。
【００５５】
次に、図３又は図４を参照して、封印ワイヤ５を第１挿通孔３１ｔ及び第２挿通孔４１ｔに挿通して、ループを構成する。次に、封印ワイヤ５の両端部を封印部材６で封印することで、封印端子カバー１０の一連の取り付け作業を終了する。
【００５６】
図１から図４を参照すると、実施形態による封印端子カバー１０は、本体９１の端部に配置した端子部９１ｔを覆うカバー９２の上に取り付けできる一組のＬ字状の第１拘束部材１及び第２拘束部材２を備え、第１拘束部材１と第２拘束部材２を連結する封印用の第１雄ねじ部材３がカバー９２の他端部を締結する封印用の第２雄ねじ部材４の近傍に配置されているので、スマートメータ９の左右の２カ所を封印することなく、１カ所でカバー９２を封印できる。
【００５７】
本発明によるスマートメータの封印端子カバーは、次のような効果が期待される。
（１）離間した左右の封印装置同士を封印ワイヤで通さなくてもよい。
（２）封印ワイヤ及び封印具の使用量を最小限にすることができる。
（３）既設のスマートメータを封印できる。
（４）封印作業を容易に実施できる。
【００５８】
本発明は、端子部を覆うカバーを備えたスマートメータを好適に封印するスマートメータの封印端子カバーを開示したが、本発明の封印端子カバーは、スマートメータに限定されることなく、他の分野でも応用されることが期待される。
【符号の説明】
【００５９】
１  第１拘束部材
２  第２拘束部材
３  第１雄ねじ部材
４  第２雄ねじ部材
５  封印ワイヤ
６  封印部材
９  スマートメータ
１０  封印端子カバー（スマートメータの封印端子カバー）
１１  第１拘持アーム
１２  第１封鎖アーム
２１  第２拘持アーム
２２  第２封鎖アーム
２３  雌ねじ座部材
２３ｓ  雌ねじ
３１ｔ  第１挿通孔
４１ｔ  第２挿通孔
９１  本体（スマートメータの本体）
９１ｔ  端子部（スマートメータの端子部）
９２  カバー（スマートメータのカバー）
【図１】
2020016516.tif 000003
【図２】
2020016516.tif 000004
【図３】
2020016516.tif 000005
【図４】
2020016516.tif 000006
【図５】
2020016516.tif 000007
【図６】
2020016516.tif 000008
【図７】
2020016516.tif 000009
【図８】
2020016516.tif 000010